(57)【要約】      （修正有）【課題】ねじ軸に沿って往復移動可能なセンサーを装着することにより、板材の両面の全域に亘って平面度を測定することができる非接触式板材測定装置を提供する。【解決手段】非接触式板材測定装置は、駆動装置２０におけるモーター２１が起動すると、モーター２１に連動して駆動ローラ２２がベルト２５を介して第一従動ローラ２３及び第二従動ローラ２４を駆動し、さらに、第一従動ローラ２３に連結される第一ねじ軸２６及び第二従動ローラ２４に連結される第二ねじ軸２７が第一従動ローラ２３及び第二従動ローラ２４に連動して回転する。これにより、駆動装置２０の回転運動をそれぞれ、板材の通過経路の上下部に設けられている第一センサー及び第二センサーの、第一ねじ軸２６及び第二ねじ軸２７に沿った直線運動に変更することができる。【選択図】図１
0003151182.tif 000002
【実用新案登録請求の範囲】
【請求項１】
フレーム（１０）と、駆動装置（２０）と、２つの光学測定器（３０）とを備える非接触式板材測定装置であって、
前記フレーム（１０）は、間隔を置いて平行に設けられる第一組み付け部（１４）及び第二組み付け部（１５）と、一側に該第一組み付け部（１４）及び第二組み付け部（１５）を連結する連結フレーム（１２）とを備え、
前記駆動装置（２０）は、連結フレーム（１２）に設置され、順逆回転が制御可能なモーター（２１）と、該モーター（２１）に取り付けられる駆動ローラ（２２）と、該連結フレーム（１２）に設置され、該駆動ローラ（２２）と同一の縦方向の平面上に設置される第一従動ローラ（２３）、第二従動ローラ（２４）と、前記各ローラを連結するベルト（２５）と、該第一従動ローラ（２３）に連結され、回転可能に第一組み付け部（１４）に貫設される第一ねじ軸（２６）と、該第二従動ローラ（２４）に連結され、回転可能に第二組み付け部（１５）に貫設される第二ねじ軸（２７）とを備え、
前記２つの光学測定器（３０）は、それぞれの測定光が対向するように設置されており、それぞれ、移動可能に前記第一ねじ軸（２６）に螺合される第一ねじ穴（３１０）を有する第一ベース（３１）と、移動可能に前記第二ねじ軸（２７）に螺合される第二ねじ穴（３２０）を有する第二ベース（３２）とに連結されていることを特徴とする非接触式板材測定装置。
【請求項２】
前記第一組み付け部（１４）内における前記第一ねじ軸（２６）の前記第二組み付け部（１５）に向く側に、該第一ねじ軸（２６）と平行するように第一ガイドロッド（２８）が設置され、該第二組み付け部（１５）内における前記第にねじ軸（２７）の前記第一組み付け部（１４）に向く側に、該第二ねじ軸（２７）と平行するように第二ガイドロッド（２９）が設置され、更に、前記第一ベース（３１）に、該第一ガイドロッド（２８）が摺動可能に貫通する第一貫通孔（３１１）が形成され、前記第二ベース（３２）に、該第二ガイドロッド（２９）が摺動可能に貫通する第二貫通孔（３２１）が形成されていることを特徴とする請求項１に記載の非接触式板材測定装置。
【請求項３】
前記第一組み付け部（１４）及び前記第二組み付け部（１５）は、中空の直方体を呈し、その対向する側にそれぞれ、前記２つの光学測定器（３０）の測定光が通過する第一開口（１４０）及び第二開口（１５０）が形成されていることを特徴とする請求項１又は請求項２に記載の非接触式板材測定装置。
【請求項４】
前記フレーム（１０）の底部に、支持フレーム（７０）の上部に凸設される断面Ｔ字形のレール（７１）と摺動可能に結合する断面Ｔ字形のスロット（１１）が凹設されていることを特徴とする請求項１乃至請求項３の何れか一項に記載の非接触式板材測定装置。
【請求項５】
前記連結フレーム（１２）は、縦方向に設置される連結板（１２０）と、該連結板（１２０）と間隔をおいて平行に設置される隔壁板（１２１）と、該連結板（１２０）と隔壁板（１２１）の上下端にそれぞれ連結される横板とを備え、
前記前記第一組み付け部（１４）及び第二組み付け部（１５）は、前記隔壁板（１２１）の前記連結板（１２０）が位置する側と反対する側に配置され、
前記第一従動ローラ（２３）及び第二従動ローラ（２４）は、前記連結板（１２０）と前記隔壁板（１２１）との間に配置され、
前記第一ねじ軸（２６）は、前記隔壁板（１２１）を貫通するように回転可能に前記第一組み付け部（１４）に配置され、
前記第二ねじ軸（２７）は、前記隔壁板（１２１）を貫通するように回転可能に前記第一組み付け部（１４）に配置されていることを特徴とする請求項１乃至請求項４の何れか一項に記載の非接触式板材測定装置。
【考案の詳細な説明】
【技術分野】
【０００１】
本考案は、測定装置に関し、特に内部に設置された往復移動可能な非接触式センサーにより、板材の表裏面の平面度を測定することができる非接触式板材測定装置に関する。
【背景技術】
【０００２】
非接触式板材測定装置は一般に、光学センサーを用いて、板材の平面度を測定するものであり、従来の非接触式板材測定装置は、板材輸送装置の上方に、一つ或いは複数の光学センサーを設置し、板材輸送装置により運ばれた板材が光学センサーの下を通過したときに、光学センサーより発せられた測定光により板材の表面の一点や複数点の平面度を測定する。
【考案の概要】
【考案が解決しようとする課題】
【０００３】
しかしながら、従来の非接触式板材測定装置は、一点や複数点を測定することしかできず、板材の表面全体に対して測定することができない。従って、測定したデータの正確性や精度が低いという問題があった。
また、従来の非接触式板材測定装置は、板材輸送装置の上部に固設されるので、板材の片面の平面度しか測定できず、また、固設により測定できる箇所も限られており、更に、従来の非接触式板材測定装置において測定できる箇所を増やすためには、板材輸送装置の上部に複数のセンサーを設ける必要があるので、非経済的であった。
【０００４】
そこで、案出されたのが本考案であって、往復移動可能なセンサーを用いることにより、板材の両面の全域に亘って平面度を測定することを可能にした非接触式板材測定装置を提供することを目的としている。
【課題を解決するための手段】
【０００５】
本願の請求項１の考案は、フレーム（１０）と、駆動装置（２０）と、２つの光学測定器（３０）とを備える非接触式板材測定装置であって、前記フレーム（１０）は、間隔を置いて平行に設けられる第一組み付け部（１４）及び第二組み付け部（１５）と、一側に該第一組み付け部（１４）及び第二組み付け部（１５）を連結する連結フレーム（１２）とを備え、前記駆動装置（２０）は、連結フレーム（１２）に設置され、順逆回転が制御可能なモーター（２１）と、該モーター（２１）に取り付けられる駆動ローラ（２２）と、該連結フレーム（１２）に設置され、該駆動ローラ（２２）と同一の縦方向の平面上に設置される第一従動ローラ（２３）、第二従動ローラ（２４）と、前記各ローラを連結するベルト（２５）と、該第一従動ローラ（２３）に連結され、回転可能に第一組み付け部（１４）に貫設される第一ねじ軸（２６）と、該第二従動ローラ（２４）に連結され、回転可能に第二組み付け部（１５）に貫設される第二ねじ軸（２７）とを備え、前記２つの光学測定器（３０）は、それぞれの測定光が対向するように設置されており、それぞれ、移動可能に前記第一ねじ軸（２６）に螺合される第一ねじ穴（３１０）を有する第一ベース（３１）と、移動可能に前記第二ねじ軸（２７）に螺合される第二ねじ穴（３２０）を有する第二ベース（３２）とに連結されていることを特徴とする非接触式板材測定装置、を提供する。
【０００６】
そして、本願の請求項２の考案は、前記第一組み付け部（１４）内における前記第一ねじ軸（２６）の前記第二組み付け部（１５）に向く側に、該第一ねじ軸（２６）と平行するように第一ガイドロッド（２８）が設置され、該第二組み付け部（１５）内における前記第にねじ軸（２７）の前記第一組み付け部（１４）に向く側に、該第二ねじ軸（２７）と平行するように第二ガイドロッド（２９）が設置され、更に、前記第一ベース（３１）に、該第一ガイドロッド（２８）が摺動可能に貫通する第一貫通孔（３１１）が形成され、前記第二ベース（３２）に、該第二ガイドロッド（２９）が摺動可能に貫通する第二貫通孔（３２１）が形成されていることを特徴とする請求項１に記載の非接触式板材測定装置、を提供する。
【０００７】
更に、本願の請求項３の考案は、前記第一組み付け部（１４）及び前記第二組み付け部（１５）は、中空の直方体を呈し、その対向する側にそれぞれ、前記２つの光学測定器（３０）の測定光が通過する第一開口（１４０）及び第二開口（１５０）が形成されていることを特徴とする請求項１又は請求項２に記載の非接触式板材測定装置、を提供する。
【０００８】
また、本願の請求項４の考案は、前記フレーム（１０）の底部に、支持フレーム（７０）の上部に凸設される断面Ｔ字形のレール（７１）と摺動可能に結合する断面Ｔ字形のスロット（１１）が凹設されていることを特徴とする請求項１乃至請求項３の何れか一項に記載の非接触式板材測定装置、を提供する。
【０００９】
そして、本願の請求項５の考案は、前記連結フレーム（１２）は、縦方向に設置される連結板（１２０）と、該連結板（１２０）と間隔をおいて平行に設置される隔壁板（１２１）と、該連結板（１２０）と隔壁板（１２１）の上下端にそれぞれ連結される横板とを備え、前記前記第一組み付け部（１４）及び第二組み付け部（１５）は、前記隔壁板（１２１）の前記連結板（１２０）が位置する側と反対する側に配置され、前記第一従動ローラ（２３）及び第二従動ローラ（２４）は、前記連結板（１２０）と前記隔壁板（１２１）との間に配置され、前記第一ねじ軸（２６）は、前記隔壁板（１２１）を貫通するように回転可能に前記第一組み付け部（１４）に配置され、前記第二ねじ軸（２７）は、前記隔壁板（１２１）を貫通するように回転可能に前記第一組み付け部（１４）に配置されていることを特徴とする請求項１乃至請求項４の何れか一項に記載の非接触式板材測定装置、を提供する。
【考案の効果】
【００１０】
本考案は上記の課題を解決するものであり、第一組み付け部と第二組み付け部に設置される第一ねじ軸と第二ねじ軸により、第一センサーと第二センサーをそれぞれ第一ねじ軸と第二ねじ軸に沿って往復移動させることができるので、板材の両面の全域に亘って平面度を測定することができる。
【図面の簡単な説明】
【００１１】
【図１】本考案に係る非接触式板材測定装置の正面視斜視図である。
【図２】本考案に係る非接触式板材測定装置の正面図である。
【図３】図３は本考案に係る非接触式板材測定装置の背面視斜視図である。
【図４】本考案に係る非接触式板材測定装置の平面図である。
【図５】本考案に係る非接触式板材測定装置の使用状態を示す左側面図である。
【図６】本考案に係る非接触式板材測定装置の測定状態を示す平面図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１は本考案に係る非接触式板材測定装置の正面視斜視図であり、図２は本考案に係る非接触式板材測定装置の正面図であり、図３は本考案に係る非接触式板材測定装置の背面視斜視図であり、図４は本考案に係る非接触式板材測定装置の平面図であり、図５は本考案に係る非接触式板材測定装置の使用状態を示す左側面図であり、図６は本考案に係る非接触式板材測定装置の測定状態を示す平面図である。
【００１４】
図１及び図２に示すように、本考案に係る非接触式板材測定装置は、フレーム（１０）と、駆動装置（２０）と、２つの光学測定器（３０）とを備えている。
【００１５】
図３に示すように、前記フレーム（１０）は、間隔を置いて平行に設けられる第一組み付け部（１４）及び第二組み付け部（１５）と、一側に前記第一組み付け部（１４）及び第二組み付け部（１５）を連結する連結フレーム（１２）とを備えている。
【００１６】
前記第一組み付け部（１４）及び前記第二組み付け部（１５）は、中空の直方体を呈し、その対向する側にそれぞれ、前記２つの光学測定器（３０）の測定光が通過する第一開口（１４０）及び第二開口（１５０）が形成されている。
【００１７】
前記駆動装置（２０）は、連結フレーム（１２）に設置され、順逆回転が制御可能なモーター（２１）と、該モーター（２１）に取り付けられる駆動ローラ（２２）と、該連結フレーム（１２）に設置され、該駆動ローラ（２２）と同一の縦方向の平面上に設置される第一従動ローラ（２３）、第二従動ローラ（２４）と、前記各ローラを連結するベルト（２５）と、該第一従動ローラ（２３）に連結され、回転可能に第一組み付け部（１４）に貫設される第一ねじ軸（２６）と、該第二従動ローラ（２４）に連結され、回転可能に第二組み付け部（１５）に貫設される第二ねじ軸（２７）とを備えている。
【００１８】
また、前記第一組み付け部（１４）内における第一ねじ軸（２６）の第二組み付け部（１５）に向く側に、該第一ねじ軸（２６）と平行するように第一ガイドロッド（２８）が設置されると共に、該第二組み付け部（１５）内における第にねじ軸（２７）の第一組み付け部（１４）に向く側に、第二ねじ軸（２７）と平行するように第二ガイドロッド（２９）が設置されている。
【００１９】
図４に示すように、前記２つの光学測定器（３０）は、それぞれの測定光が対向するように設置され、それぞれ、移動可能に前記第一ねじ軸（２６）に螺合される第一ねじ穴（３１０）を有する第一ベース（３１）と、移動可能に前記第二ねじ軸（２７）に螺合される第二ねじ穴（３２０）を有する第二ベース（３２）とに連結されている。
【００２０】
更に、前記第一ベース（３１）には、前記第一ガイドロッド（２８）が摺動可能に貫通する第一貫通孔（３１１）が形成されると共に、前記第二ベース（３２）に、該第二ガイドロッド（２９）が摺動可能に貫通する第二貫通孔（３２１）が形成されている。
【００２１】
その上、本考案の非接触式板材測定装置では、前記フレーム（１０）を支持フレーム（７０）上に移動可能に乗せるために、前記フレーム（１０）の底部に、支持フレーム（７０）の上部に凸設される断面Ｔ字形のレール（７１）とスライド可能に結合できる断面Ｔ字形のスロット（１１）が凹設されている。
【００２２】
上記の構成によれば、本考案の非接触式板材測定装置は、駆動装置（２０）におけるモーター（２１）が起動すると、モーター（２１）に連動して駆動ローラ（２２）がベルト（２５）を介して第一従動ローラ（２３）及び第二従動ローラ（２４）を駆動し、さらに、第一従動ローラ（２３）に連結される第一ねじ軸（２６）及び第二従動ローラ（２４）に連結される第二ねじ軸（２７）が第一従動ローラ（２３）及び第二従動ローラ（２４）に連動して回転する。このように、本考案の構成によれば、駆動装置（２０）の回転運動をそれぞれ、板材の通過経路の上下部に設けられている第一センサー（符号なし）及び第二センサー（符号なし）の、第一ねじ軸（２６）及び第二ねじ軸（２７）に沿った直線運動に変更することができる。
【００２３】
また、図５及び図６に示すように、板材は、支持フレーム（７０）のフィードローラ（７２）により搬送され、該板材が第一組み付け部（１４）と第二組み付け部（１５）との間を通り、モーター（２１）が往復駆動すると、第一センサー及び第二センサーが直線的に往復運動を繰り返して、測定光がそれぞれ第一開口（１４０）と第二開口（１５０）を経て、板材の表裏面において測定軌跡を作るので、板材の両面の全域に亘って平面度を測定することができる。
【産業上の利用可能性】
【００２４】
本考案は上記の構成を有することから、第一組み付け部に配置される第一ねじ軸及び第二組み付け部に配置される第二ねじ軸に沿って第一センサーと第二センサーを摺動させることにより、板材の両面の全域に亘って平面度を測定することが可能となった。故に、従来のように多数のセンサーを設置する必要はなく、且つ測定可能な範囲も拡大させることができるので、測定精度を向上させることができると共に、実用性も極めて高い。
【符号の説明】
【００２５】
１０        フレーム
１１        スロット
１２        連結フレーム
１２０      連結板
１２１      隔壁板
１４        第一組み付け部
１４０      第一開口
１５        第二組み付け部
１５０      第二開口
２０        駆動装置
２１        モーター
２２        駆動ローラ
２３        第一従動ローラ
２４        第二従動ローラ
２５        ベルト
２６        第一ねじ軸
２７        第二ねじ軸
２８        第一ガイドロッド
２９        第二ガイドロッド
３０        光学測定器
３１        第一ベース
３１０      第一ねじ穴
３１１      第一貫通孔
３２        第二ベース
３２０      第二ねじ穴
３２１      第二貫通孔
７０        支持フレーム
７１        レール
７２        フィードローラ
【図１】
0003151182.tif 000003
【図２】
0003151182.tif 000004
【図３】
0003151182.tif 000005
【図４】
0003151182.tif 000006
【図５】
0003151182.tif 000007
【図６】
0003151182.tif 000008